【事件の表示】
　特許第２８３８８９２号「放送内容受信装置」の請求項に係る特許に対する特許異議の申立てについて、次のとおり決定する。
【結　論】
　訂正を認める。
　特許第２８３８８９２号の請求項１ないし４に係る特許を維持する。
【理　由】
Ｉ：手続の経緯・本件発明
１、手続きの経緯
　本件特許第２８３８８９２号発明は、昭和６３年６月６日に特許出願され、平成１０年１０月１６日にその特許の設定登禄がなされ、その後、ソニー株式会社・岡部洋一・和田浩司・パイオニア株式会社・大木宗一郎からそれぞれ特許異議の申立てがなされたことにより、当審から取消理由通知がなされ、その指定期間内である平成１２年４月２６日に訂正請求がなされたものである。
　
２、本件発明
　本件発明の認定に当たって、訂正請求がされているので、まず、その適否の検討を行う。
　
（１）訂正の要旨
（訂正得事項ａ）
　設定登録時の特許請求の範囲の
「【請求項１】受信された、テレビ放映内容から、指定されたチャンネルを抽出するチューナを備えた放送内容受信装置において、
　少なくともテレビの各番組内容とその開始時刻とその放映チャンネルとを含む情報を、外部から当該放送内容受信装置に取り込む入力手段と、
　該入力手段により取り込まれた上記情報から、各チャンネルのテレビの番組内容を取り出して、チャンネルの違い毎にテレビ受像機に縦もしくは横の内の１方向に並べて表示するチャンネル表示手段と、
　該入力手段により取り込まれた上記情報中の同一チャンネルの番組を、その放送順に、上記１方向と垂直な方向に並べて、上記テレビ受像機に表示する放送順序表示手段と、
　該放送順序表示手段及び上記チャンネル表示手段により上記テレビ受像機に表示されたテレビの番組内容の中から任意の番組内容が表示されている位置を指定するための位置指定手段と、該位置指定手段により指定された位置に表示されている番組内容を、指定されなかった位置の番組内容と識別可能に表示する識別表示手段と、
　該識別表示手段にて識別可能に表示された箇所に対応する番組内容を所望の番組として設定するための設定手段と、該設定手段にて設定された箇所に対応する番組のチャンネルを上記情報から取り出して、所望の番組のチャンネルとして設定するチャンネル補完手段と、
　上記設定手段にて設定された箇所に対応する番組の開始時刻を上記情報から取り出して、所望の番組の情報として設定する開始時刻補完手段と、該開始時刻補完手段により設定された開始時刻になると、上記チャンネル補完手段により設定されたチャンネルを上記チューナに抽出させる放送内容出力手段とを備えたことを特徴とする放送内容受信装置。」
を、特許請求の範囲の請求項１の減縮を目的として、以下の通り訂正する。
「【請求項１】受信された、テレビの放映内容から、指定されたチャンネルを抽出するチューナを備えた放送内容受信装置において、
　少なくともテレビの各番組内容とその開始時刻とその放映チャンネルとを含む情報を、外部から当該放送内容受信装置に取り込む入力手段と、
　当該放送内容受信装置の電源を投入すると、前記入力手段により取り込まれた上記情報から、その日の各チャンネルのテレビの番組内容を取り出して、チャンネルの違い毎にテレビ受像機に縦もしくは横の内の１方向に並べて表示するチャンネル表示手段と、
　当該放送内容受信装置の電源を投入すると、前記入力手段により取り込まれた上記情報中の同一チャンネルのその日の番組を、その放送順に、上記１方向と垂直な方向に並べて、上記テレビ受像機に表示する放送順序表示手段と、
　該放送順序表示手段及び上記チャンネル表示手段により上記テレビ受像機に表示されたテレビの番組内容の中から任意の番組内容が表示されている位置を指定するための位置指定手段と、
　該位置指定手段により指定された位置に表示されている番組内容を、指定されなかった位置の番組内容と識別可能に表示する識別表示手段と、
　該識別表示手段にて識別可能に表示された箇所に対応する番組内容を所望の番組として設定するための設定手段と、
　該設定手段にて設定された箇所に対応する番組のチャンネルを上記情報から取り出して、所望の番組のチャンネルとして設定するチャンネル補完手段と、
　上記設定手段にて設定された箇所に対応する番組の開始時刻を上記情報から取り出して、所望の番組の情報として設定する開始時刻補完手段と、　該開始時刻補完手段により設定された開始時刻になると、上記チャンネル補完手段により設定されたチャンネルを上記チューナに抽出させる放送内容出力手段と
　を備えたことを特徴とする放送内容受信装置。」
（訂正事項ｂ）
設定登録時の
「【請求項４】上記識別表示手段が、上記位置指定手段により指定された位置に表示されている番組内容を、点滅もしくは反転させることにより、指定されなかった位置の番組内容とは識別可能に表示するもの
であることを特徴とする請求項１ない３に記載の放送内容受信装置」
の記載を、不明瞭な記載の釈明を目的として、以下の通り訂正する。
「【請求項４】上記識別表示手段が、上記位置指定手段により指定された位置に表示されている番組内容を、点滅もしくは反転させることにより、指定されなかった位置の番組内容とは識別可能に表示するもの
であることを特徴とする請求項１ないし３のいずれかに記載の放送内容受信装置。」　
（訂正事項ｃ）
　設定登録時の明細書（特許公報第２頁第４欄第１６〜２０行
「本発明の請求項１記載の放送内容受信装置は、受信された、テレビ放映内容から、指定されたチャンネルを抽出するチューナと、該チューナにより抽出されたチャンネルの映像信号を表示するテレビ受像機とを備えた放送内容受信装置において、」
の記載を、誤記又は誤訳の訂正を目的として、
「と、該チューナにより抽出されたチャンネルの映像信号を表示するテレビ受像機と」の記載を削除して「本発明の請求項１記載の放送内容受信装置は、受信された、テレビ放映内容から、指定されたチャンネルを抽出するチューナを備えた放送内容受信装置において、」
と訂正する。
　訂正された特許請求の範囲を整理すると
「【請求項１】受信された、テレビの放映内容から、指定されたチャンネルを抽出するチューナを備えた放送内容受信装置において、
　少なくともテレビの各番組内容とその開始時刻とその放映チャンネルとを含む情報を、外部から当該放送内容受信装置に取り込む入力手段と、
　当該放送内容受信装置の電源を投入すると、前記入力手段により取り込まれた上記情報から、その日の各チャンネルのテレビの番組内容を取り出して、チャンネルの違い毎にテレビ受像機に縦もしくは横の内の１方向に並べて表示するチャンネル表示手段と、
　当該放送内容受信装置の電源を投入すると、前記入力手段により取り込まれた上記情報中の同一チャンネルのその日の番組を、その放送順に、上記１方向と垂直な方向に並べて、上記テレビ受像機に表示する放送順序表示手段と、
　該放送順序表示手段及び上記チャンネル表示手段により上記テレビ受像機に表示されたテレビの番組内容の中から任意の番組内容が表示されている位置を指定するための位置指定手段と、
　該位置指定手段により指定された位置に表示されている番組内容を、指定されなかった位置の番組内容と識別可能に表示する識別表示手段と、該識別表示手段にて識別可能に表示された箇所に対応する番組内容を所望の番組として設定するための設定手段と、
　該設定手段にて設定された箇所に対応する番組のチャンネルを上記情報から取り出して、所望の番組のチャンネルとして設定するチャンネル補完手段と、上記設定手段にて設定された箇所に対応する番組の開始時刻を上記情報から取り出して、所望の番組の情報として設定する開始時刻補完手段と、
　該開始時刻補完手段により設定された開始時刻になると、上記チャンネル補完手段により設定されたチャンネルを上記チューナに抽出させる放送内容出力手段とを備えたことを特徴とする放送内容受信装置。
【請求項２】上記入力手段が、少なくともテレビの各番組内容と、その開始時刻と、その終了時刻もしくはその放映時間と、その放映チャンネルとを含む情報を、外部から当該放送内容受信装置に取り込むものであり、
　上記放送順序表示手段が、各番組内容の放映時間に略比例した大きさにて各番組内容を上記放映順に並列させて上記テレビ受像機に表示するもの、
　であることを特徴とする請求項１に記載の放送内容受信装置。
【請求項３】上記放送内容出力手段が上記チューナに抽出させたチャンネルの放映内容を、録画するためのビデオ録画装置を備えたことを特徴とする請求項２に記載の放送内容受信装置。
【請求項４】上記識別表示手段が、上記位置指定手段により指定された位置に表示されている番組内容を、点滅もしくは反転させることにより、指定されなかった位置の番組内容とは識別可能に表示するもの
　であることを特徴とする請求項１ないし３のいずれかに記載の放送内容受信装置。】」
（以下、訂正請求項という）
　
（２）訂正の適否及び拡張・変更の存否の検討
　訂正事項ａの検討
　訂正された「当該放送内容受信装置の電源を投入すると、…その日の…」については、願書に添付した本願明細書の第１５頁第１０〜１３行「まず、ＶＴＲ３に録画予約カード１を装着し電源を投入すると、テレビ受像機５にその日の番組表の一部が」第４図に示すように、表形式で実本される。」に基づく特許請求の範囲の請求項１の減縮を目的としたものと認める。
　
　訂正事項ｂの検討
　「いずれかに」を挿入することは、請求項１ないし３のうちのいずれの請求項を限定するものかが不明りょうであったものを、「請求項１ないし３のいずれかに」と表現することで明りょうにするものであり、特許請求の範囲の請求項２の記載の不明瞭な釈明を目的とするものと認める。
　
　訂正事項ｃの検討
　権利者は訂正請求の原因で「発明の詳細な説明の記載と特許請求の範囲の記載とが整合していない、という誤記を訂正するものである。
　その訂正の内容は、発明の詳細な説明の記載を特許請求の範囲の記載に一致させるものである。この訂正が、願書に添付した明細書又は図面に記載した事項の範囲内の訂正であることは明らかであり、実質上特許請求の範囲を拡張し又は変更するものでもないため、特許法第１２０条の４第３項で準用する第１２６条第２項及び第３項の規定に適合するものである。
　したがって、この訂正は、特許法第１２０条の４第２項ただし書き第２号に規定する誤記又は誤訳の訂正を目的とするものである。」と訂正の趣旨を説明しているが、該訂正事項ｃの、設定登録時の明細書（特許公報第２頁第４欄第１６〜２０行）の「と、該チューナにより抽出されたチャンネルの映像信号を表示するテレビ受像機と」の記載を削除して「本発明の請求項１記載の放送内容受信装置は、受信された、テレビ放映内容から、指定されたチャンネルを抽出するチューナを備えた放送内容受信装置において、」と訂正することは、本件発明の放送内容受信装置の構成には、テレビ受像機は含めないことを明確にしたものと認められるので、権利者が説明する誤記の訂正とは認められないものの、不明瞭な記載の釈明に相当するものと認めらる。
　以上の検討から、この訂正は特許法１２０条の四第２項および特許法第１２０条の４第３項で準用する特許法１２６条第２項に規定する願書に最初に添付した明細書又は図面に記載した事項の範囲内の訂正と認められるので、拡張・変更とは認められない。
　
（３）独立特許要件の検討
（ｉ）本件訂正発明の認定
　本件訂正発明は、上記訂正請求項１〜４に記載の発明の通りと認める。
　
（ii）引用例の認定
　当審が、特許法２９条の２を適用して引用した昭和６３年２月１７日出願の特願昭６３−３２８２０号の願書に添付された明細書および図面を撮影したマイクロフィルム（特開平１−２０９３９９号公報）（以下、先願発明という）には、第１〜３図とその詳細説明に、
（イ）「本発明の実施例は、本発明をテレビ放送の録画予約の処理に適用したものとして説明する。
　本発明が適用されたＶＴＲにおけるテレビ放送録画予約の処理システムは、第１図に示すように、ＶＴＲ制御部３、予約制御部４、操作パネル５及びフロッピーデイスク（以下ＦＤという）装置６を有するＶＴＲ装置２と、デイスプレイ装置１とにより構成され、」（先願発明第２頁左下欄１６行〜右下欄４行）
（ロ）「予約制御部４は、１週間分のテレビ放送のスケジュールが記録されたＦＤの内容をＦＤ装置６から読出して、その内容をＲＧＢ信号ケーブル７′を介してデイスプレイ装置１に表示する。」（先願発明第２頁右下欄１８行〜第３頁左上欄２行）
（ハ）「また、前述の実施例は、番組のスケジュールがフロッピーデイスク等の記録媒体により提供されるとしたが、番組の情報が通信手段を介して直接ＶＴＲ装置に提供されるようにしてもよい。」（先願発明第４頁左上欄７〜１０行）
（ニ）先願発明第３図には、「第３図には、このようにして表示された画面の一例が示されており、ＦＤ内の日付フィールド８、曜日フィールド８′　の情報は、日付エリア１２に、チヤンネルフィールド９−１，９−２の情報は、チヤンネルエリア１３−１，１３−２に夫々表示され、番組フィールド１１−１，１１−２の情報は、時間フィールド１０−１，１０−２を表示する時間エリア１４に対応した番組エリア１５に夫々表示される。第３図に示す例では、１９時〜２３時における第１チヤンネルと第２チヤンネルの番組表が表示されている。」（先願発明第３頁左下欄１５行〜右下欄４行）
（ホ）「録画予約を行おうとする操作者は、この表示画面の中に所望する番組を見付け出すと、カーソル移動キー１６を操作して、カーソルを所望の番組に移動させる。」（先願発明第３頁右下欄第５〜８行）
（へ）「カーソルは、その番組を表示しているエリア全体の色を変える等により、その番組を選択していることを示すものであり、第３図では、カーソルは斜線で表わされていて、ニュースＡが選択された状態を示している。」（先願発明第３頁右下欄８〜１２行）
（ト）「この状態で、設定スイッチ１８を操作すると、予約制御部４は、ニュースＡを　録画するために必要な、ＦＤ内の日付フィールド８、曜日フィールド８、チヤンネルフィールド９−１、時間フィールド１０−１の情報をＶＴＲ制御部　３内にセットし、ニュースＡの録画予約が完了する。」（先願発明第３頁右下欄１１〜１７行）（チ）「まず、モード切替スイッチ１７を操作することにより、第１図に示すシステムを予約モードとし、テンキー１９より「０９２０」と日付の入力を行う。これにより、ディスプレイ装置１には、９月２０日の番組表が表示される。この表示を目視しながらカーソル移動キー１６を操作し、カーソルをディスプレイ装置１上の画面の最上端あるいは最下端に移動させると、時間スクロールが行われ、画面上には異なる時間帯の番組が次々と表示され、又、カーソルを最左端あるいは最右端に移動させると、チャンネルスクロールが行われ、画面上には他チャンネルの番組が表示される。」（先願発明第３頁左下欄３〜１４行）
の各記載がある。
　この記載から、先願発明には
　
　定められたスケジュールにしたがって提供される情報記憶媒体からの提供情報を処理する情報処理システムにおいて、
　前記情報記憶媒体に記憶された提供情報は、１週間分の放送スケジュールに関するチャンネル毎の番組内容と放送時間等の情報及び提供情報を処理するに必要な情報とからなり、
　該記憶媒体に記憶された情報を読み出して、表示装置の表示画面に、横方向にチャンネル情報を表示し、縦方向に時間情報を表示し、提供されるスケジュールをそのチャンネル情報と時間情報で特定できるように、表形式で表示してなる手段からなる処理情報を提供する手段と、
　前記処理情報から処理の対象としたい提供情報を選択する手段と、
　選択した部分の色を変えること等により選択部分が他の部分と区別して視認できるように選択した部分の表示を変える手段と、
　前記スケジュールに従って、選択した提供情報でＶＴＲ録画予約の処理を行う手段とを備える情報処理システム
　
　の先願発明が記載されているものと認める。
　
（iii）対比　　
　「定められたスケジュールにしたがって提供される情報記憶媒体からの提供情報を処理する情報処理システム」・「前記情報記憶媒体に記憶された提供情報は、１週間分の放送スケジュールに関するチャンネル毎の番組内容と放送時間等の情報及び提供情報を処理するに必要な情報」および「該記憶媒体に記憶された情報を読み出して」・「前記処理情報から処理の対象としたい提供情報を選択する手段」・「選択した部分の色を変えること等により選択部分が他の部分と区別して視認できるように選択した部分の表示を変える手段」・「情報処理システム」
　は、本件訂正請求項１の発明の
「受信された、テレビの放映内容から、指定されたチャンネルを抽出するチューナを備えた放送内容受信装置」・「少なくともテレビの各番組内容とその開始時刻とその放映チャンネルとを含む情報を、外部から当該放送内容受信装置に取り込む入力手段」」・「該放送順序表示手段及び上記チャンネル表示手段により上記テレビ受像機に表示されたテレビの番組内容の中から任意の番組内容が表示されている位置を指定するための位置指定手段」・「該位置指定手段により指定された位置に表示されている番組内容を、指定されなかった位置の番組内容と識別可能に表示する識別表示手段」・「放送内容受信装置。」
と対応する構成と認められ、
　かつ、先願発明がＶＴＲの録画予約である以上、予約設定時に表示されている番組表中のある番組を予約する番組として選定すれば、チャンネルと日時をＶＴＲに予約設定し、かつその予約時間になれば、録画開始させ、番組終了と共に録画停止を行わせることが録画予約の技術常識であることを考慮すれば、先願発明の「前記スケジュールに従って、選択した提供情報でＶＴＲ録画予約の処理を行う手段」は、本件訂正請求項１の「該識別表示手段にて識別可能に表示された箇所に対応する番組内容を所望の番組として設定するための設定手段と、
　該設定手段にて設定された箇所に対応する番組のチャンネルを上記情報から取り出して、所望の番組のチャンネルとして設定するチャンネル補完手段と、
　上記設定手段にて設定された箇所に対応する番組の開始時刻を上記情報から取り出して、所望の番組の情報として設定する開始時刻補完手段と、　該開始時刻補完手段により設定された開始時刻になると、上記チャンネル補完手段により設定されたチャンネルを上記チューナに抽出させる放送内容出力手段」とは同じ構成であると認められる。
　尚、これらの構成の一致については、権利者も同じであることを意見書で認めている。
　しかしながら、先願発明と本件訂正請求項１に記載の発明とでは、表形式で番組表を提供する手段として、
　先願発明では「表示装置の表示画面に、横方向にチャンネル情報を表示し、縦方向に時間情報を表示し、提供されるスケジュールをそのチャンネル情報と時間情報で特定できるように、表形式で表示してなる手段からなる処理情報を提供する手段」
であるのに対して、本件訂正請求項１記載の発明では
「当該放送内容受信装置の電源を投入すると、前記入力手段により取り込まれた上記情報から、その日の各チャンネルのテレビの番組内容を取り出して、チャンネルの違い毎にテレビ受像機に縦もしくは横の内の１方向に並べて表示するチャンネル表示手段と、
　当該放送内容受信装置の電源を投入すると、前記入力手段により取り込まれた上記情報中の同一チャンネルのその日の番組を、その放送順に、上記１方向と垂直な方向に並べて、上記テレビ受像機に表示する放送順序表示手段」
である点で構成が相違する。（以下、相違点という。）
　
（iv）相違点に対する当審の検討
　放送番組を表示する手段である「放送順序表示手段」の構成として、本件訂正請求項１に記載の発明は、
イ：番組を表形式で表示する構成として、先願発明も横方向にチャンネル情報を表示し、縦方向に時間情報を表示し、提供されるスケジュールをそのチャンネル情報と時間情報で特定できるように、表形式で表示してなる事では同じではあるものの、表形式にするための具体的構成の記載がないのに対して、本件訂正請求項１に記載の発明は表形式にするための手段として「チャンネル表示手段」と「放送順序表示手段」という２つの手段から構成される点で相違する。
ロ：番組を表示するタイミングと表示番組内容が、先願発明ではモード切替スイッチ１７を操作して、予約モードにし、しかも予約日の日付を入力した後に入力された日付の番組表が表示されるのに対して、本件訂正請求項１に記載の発明は、チャンネル表示手段と放送順序表示手段とは、共に「放送内容受信装置の電源を投入する」と、「その日」の番組を表示することで構成が相違する。
　したがって、先願発明と本件訂正請求項１に記載の発明とは同一の発明ではない。
　同様に、訂正請求項２〜４記載の発明も上記訂正請求項１を引用した発明であるから、先願発明と本件訂正請求項２〜４に記載の発明とは同一の発明とすることはできない。
　
（４）まとめ
　したがって、以上の通りであるから上記訂正請求は、特許法１２０条の４第２項及び同条第３項で準用する第１２６条２−４項の規定に適合するので、当該訂正を認める。
　
II：特許異議の申立ての検討
１：特許異議申立人ソニー株式会社・岡部洋一・パイオニア株式会社・大木宗一郎の異議理由の２の検討
　
（１）特許異議理由の概要
　上記各請求人は、異議証拠として、特願昭６３−３２８２０号の願書に添付された明細書及び図面を撮影したマイクロフィルム（特開平１−２０９３９９号公報参照）を提示し、本件請求項１〜４に係る発明は特許法２９条の２の規定に違反して特許されたものである。
　
（２）当審の判断
　上記「I：訂正請求の検討」の項の「（３）独立特許要件の検討」に同じなので、この記載を援用する。
　　　
２：特許異議申立人 和田浩司の異議申立ての検討
（１）申立人が区分した取消しを求める本件設定登録時請求項１〜４は、以下の通りである。
【請求項１】
Ａ：受信された、テレビ放映内容から、指定されたチャンネルを抽出するチューナを備えた放送内容受信装置において、
Ｂ：少なくともテレビの各番組内容とその開始時刻とその放映チャンネルとを含む情報を、外部から当該放送内容受信装置に取り込む入力手段と、
Ｃ：該入力手段により取り込まれた上記情報から、各チャンネルのテレビの番組内容を取り出して、チャンネルの違い毎にテレビ受像機に縦もしくは横の内の１方向に並べて表示するチャンネル表示手段と、
Ｄ：該入力手段により取り込まれた上記情報中の同一チャンネルの番組を、その放送順に、上記１方向と垂直な方向に並べて、上記テレビ受像機に表示する放送順序表示手段と、
Ｅ：該放送順序表示手段及び上記チャンネル表示手段により上記テレビ受像機に表示されたテレビの番組内容の中から任意の番組内容が表示されている位置を指定するための位置指定手段と、
Ｆ：該位置指定手段により指定された位置に表示されている番組内容を、指定されなかった位置の番組内容と識別可能に表示する識別表示手段と、
Ｇ：該識別表示手段にて識別可能に表示された箇所に対応する番組内容を所望の番組として設定するための設定手段と、
Ｈ：該設定手段にて設定された箇所に対応する番組のチャンネルを上記情報から取り出して、所望の番組のチャンネルとして設定するチャンネル補完手段と、
Ｉ：上記設定手段にて設定された箇所に対応する番組の開始時刻を上記情報から取り出して、所望の番組の情報として設定する開始時刻補完手段と、Ｊ：該開始時刻補完手段により設定された開始時刻になると、上記チャンネル補完手段により設定されたチャンネルを上記チューナに抽出させる放送内容出力手段とを備えたことを特徴とする放送内容受信装置。」
【請求項２】
Ｋ：上記入力手段が、少なくともテレビの各番組内容と、その開始時刻と、その終了時刻もしくはその放映時間と、その放映チャンネルとを含む情報を、外部から当該放送内容受信装置に取り込むものであり、
Ｌ：上記放送順序表示手段が、各番組内容の放映時間に略比例した大きさにて各番組内容を上記放映順に並列させて上記テレビ受像機に表示するもの、であることを特徴とする請求項１に記載の放送内容受信装置。
【請求項３】
Ｍ：上記放送内容出力手段が上記チューナに抽出させたチャンネルの放映内容を、録画するためのビデオ録画装置を備えたことを特徴とする請求項２に記載の放送内容受信装置。
【請求項４】
Ｎ：上記識別表示手段が、上記位置指定手段により指定された位置に表示されている番組内容を、点滅もしくは反転させることにより、指定されなかった位置の番組内容とは識別可能に表示するものであることを特徴とする請求項１ないし３に記載の放送内容受信装置。
　
（２）異議証拠甲第１号証（米国特許第４、７０６，１２１号明細書）記載の発明に基づく異議理由の概要
ｉ：設定登録時請求項１の異議理由
イ：甲第１号証、第３欄第３−７行及び第１９−３１行には、表示された放送内容からユーザーが所望のテレビ番組を選択し、さらに自動的に選択されたテレビ番組をビデオ録画することができる、本件第１項に係る発明と同様なテレビの放送内容を受信するための放送内容受信装置に関する発明が記載されている。
ロ：図３及び図４には、テレビの放送内容から指定された番組を抽出するチューナ（図３：１３２のプログラム可能なチューナ、図４：１６４のプログラム可能なチューナ）を備えた放送内容受信装置が記載されている。すなわち甲第１号証には、第１項に係る発明の構成要件（Ａ）が記載されている。
ハ：第４欄第６１−６７行には、テレビ番組の情報がＦＭ放送等を通じて送られてくることが記載され、図３及び図４には、それらの情報をＦＭレシーバ（図３−９４）又はプログラムＴＶチューナ（図４−１６４）によって放送内容受信装置に入力することが記載されている。さらに、第２０欄第６５行−第２１欄第１５行には、番組内容フォーマットとして入力される情報が図示されている。そこには、番組内容（テーマ分類番号：Theme classification number、テーマ副分類番号：Theme subclassification number、及び追加的に拡大された記載事項：optional expanded listing）、開始時刻：Starttime（時：hour、分：minute）及び放映チャンネル：Channel number が記載されている。すなわち甲第１号証には、第１項に係る発明の構成要件（Ｂ）が記載されている。
ニ：第１０欄第１２−１８行には、「このタイプは、記載事項からの直接的なプログラム（番組内容）の選択を許容する。平均的なユーザーに対して、マスターガイド（ＭＧ）モードは、唯一の使用できるモードである。ＭＧモードにアクセスするには、ＭＧキー２２２を１回押せばよく、モードから出るには、ＭＧキー２２２を２回押せばよく、またポインターが所望のプログラムのところに来た場合にはＳＥＬキー２２８を押せばよい。」と記載され、同欄第４４−４９行には、「以下に示されるのが、ＭＧキー２２２を押した場合の典型的なスクリーンである。記載内容は、常にもっとも近い前３０分から開始される。ポインターは常に最後に選択したモード（この場合、ウオールストリートウイーク）に位置されることを示しておく。」と記載され、同欄５０−５９には、マスターガイドモードの場合に表示されるスクリーンの例が図示されている。ここでは、マスターガイドモードにおいて、前記スクリーン表示からユーザーがポインターを移動させた上でＳＥＬキー（選択キー）２２８（図５のキーボード２・２０を参照）を使用することにより、所望の放送番組を選択できることが記載されている。すなわちここには、マスターガイドモードとして、１つのスクリーンに、複数のチャンネルに渡って、開始時刻及び番組内容が表示されることが記載されている。
　さらに、第１９欄第１８−３３行には、「図７における一連のフローダイアグラムにおけるコマンドについて言及すると、３２６において、Ｃキー２３０が検出されるとチャンネルモードが選択される。図１１におけるチャンネルフローダイアグラムについて言及すると、ＣＰＵ１１０又は１７８によってＴＶ１２６又は２００に４５１において表示がなされるために、チャンネルスクリーンバッファ４５０が選択される。チャンネルモードのための状態情報が、４５２において、チャンネル情報とともに表示される。カーソルキー２３２−２３４が、４５３において検出されると、４５９において入力リストが表示されたチャンネルから表示されないチャンネルに切り替わる。テンキー２４６が４５４において検出されると、データをチャンネルスクリーンバッファに入力するために、ＣＰＵ１００又は１７８は、ＳＥＬキー２２８の入力を４６０において待つ。」と記載され、また、第２０欄第１８−１９行には「ＳＥＬキー２２８が入力されると、選択された記載内容が、４９１においてスケジュールセクションの最後にコピーされる。」と記載され、チャネルモードにおいて、スクリーンにチャネル毎に放送番組等の情報を表示させた上でＳＥＬキー２２８によって所望のテレビ番組を選択できることが記載されている。すなわちここには、チャネルモードとして、チャネル毎に番組内容等の表示を行うことが記載されている。このように、甲第１号証には、第１項に係る発明の構成要件（Ｃ）および（Ｄ）に対応した構成が記載され、構成要件（Ｅ）得及び（Ｇ）が記載されている。
ホ：第２０欄第５０−５８行には「ＴＶ１２６又は２００が５０２においてオンされていない場合、アラーム１５６又は２１７が、５０３においてプログラム（番組内容）の開始５分前から音を発する。ＴＶが５０４においてまだオンされていない場合、プログラム可能なチューナ（図３において１３２又は図４において１６４）が、５０５で予約されたプログラムをセットする。ＶＣＲ１５０又は２１６は、それぞれライン１５４又は２１８の信号によってチューニングされ、５０６においてプログラムを録画する。５０７のプログラムの最後で、新しい検索５００が開始される。」と記載され、選択された放送番組の開始時間になると、ＶＣＲ（ビデオ力セット録画装置）が設定された放送番組を設定されたプログラムにしたがって録画することが記載されている。すなわち甲第１号証には、第１項に係る発明の構成要件（Ｈ、（Ｉ）及び（Ｊ））が記載され、構成要件（Ｃ）及び（Ｄ）と対応した構成が記載されている。
　以上述べたように、甲第１号証には、本件第１項に係る発明の構成要件（Ａ）、（Ｂ）、（Ｅ）、（Ｇ）、（Ｈ）、（１）及び（Ｊ）が記載され、構成要件（Ｃ）及び（Ｄ）と対応した構成が記載されている。
　
ii：設定登録時請求項２に対する異議理由
　第２０欄第６５行−第２１欄第１５行には、前述した番組内容、開始時刻及び放映チャンネルに加えて、放送時間：Duration of program(時：hour及び分：minutes)が示されている。すなわち甲第１号証には、第２項に係る発明の構成要件(K)が記載されている。
　
iii：設定登録時請求項３に対する異議理由
　図３(１５０：ＶＣＲ)及び図４(２１６：ＶＣＲ)、及び前述した第２０欄第５０−５８行には、録画を行うためのＶＣＲ (ビデオカセット録画装置)を備えることが記載されている。すなわち甲第１号証には、第３項に係る発明の構成要件(M)が記載されている
　
iv：設定登録時請求項４に対する異議理由
　甲第１号証との相違点は、当業者が容易に達成しうる設計事項である。
　　
（３）甲第２号証(特開昭６０−６１９３５号公報)に基づく異議理由の概要
i：設定登録時請求項１に対する異議理由
イ：甲第２号証には、第１頁右下欄第９行の「本発明は磁気記録再生装置に関するものである。」と記載されるように、テレビ放送番組内容から、指定されたチャネルを抽出する選局部31(図2 0参照)を有する磁気記録再製装置が記載されている。すなわち甲第2号証には、第1項に係る発明の構成要件（Ａ）が記載されている。
ロ：第４頁左下欄第３−８行には、「記録カード２２を挿入した後、表示ボタン１４を押すと、第２１図のように、モニターＴＶ１２の画面上に記録カード２２の内容の第1項目が表れる。」と記載され、記録カード２２によりモニターに図２１のような情報が表示されることが示されている。すなわち甲第２号証には、第１項に係る発明の構成要件（Ｂ）が記載されている。また、図２１乃至図２３に示されるように、第１項に係る発明の構成要件（Ｃ）及び（Ｄ）に対応した構成が記載されている。
ハ：第４頁左下欄第１４行−同頁右下欄第5行には、「次にカーソルボタン１７を押すと、1回押す毎にカーソルが下降してくる。例えば、５月５日の７：００〜７：２０にある１chのニュースをタイマー録画設定する場合を考えてみると、カーソルを動かして第２２図の如く所定の行の左端しへカーソルを位置させる。そして次に認識ボタン１５を押すと、第２３図のようにこの行の右端しに*(アスタリスク)のマークが表われ、タイマー録画が設定される。」と記載され、さらに第２２図及び第２３図を参照すると、カーソルを移動させて認識ボタン１５を押すことにより指定された放送番組内容の右端に*(アスタリスク)が付き、指定されなかった番組と識別可能に表示されることが記載されている。
　すなわち甲第２号証には、第１項に係る発明の構成要件（Ｅ）、（Ｆ）、及び（Ｇ）が記載されている。
ニ：第４頁右下欄第５−９行には、「タイマー録画が設定されると、その情報は磁気記録再生装置本体１１の記億装置２８に記録され、所定日時にタイマー２９によって、この記憶が読み出され、制御部３０によって、所定日時、所定放送局の番組を所定時間録画作動する。」と記載されるように、番組のチャネル及び開始時刻を設定し、設定された開始時刻になると設定されたチャンネルをチューナに抽出させることが記載されている。すなわち甲第２号証には、第１項に係る発明の構成要件（Ｈ）、（Ｉ）及び（Ｊ）が記載されている。
　以上述べたように、甲第2号証には、第1項に係る発明の構成要件（Ａ）、（Ｂ）、（Ｅ）〜（Ｊ）が記載され、構成要件（Ｃ）及び（Ｄ）に対応した構成が記載されている。
　
ii：設定登録時請求項２に対する異議理由
　図２１〜図２３に示されるように、入力される情報には、テレビの番組内容、開始時刻、終了時刻及び放映チャンネルが含まれていることが記載されている。すなわち甲第２号証には、第２項に係る発明の構成要件（Ｋ）が記載されている。
　
iii：設定登録時請求項３に対する異議理由
　甲第２号証は、もともと磁気記録再生装置であり、したがって、甲第２号証には、第３項に係る発明の構成要件（Ｍ）が記載されている。
（４）甲第３号証(TV Guide magazine)記載の発明
　本件出願前の１９８８年１月２日発行の甲第３号証によれば、本件特許公報の第４図に記載されているような本発明の表示形態は、一般に広く知られた、すなわち、周知な表示形態であることが理解できる。
　
（５）当審の判断
i：訂正請求項１記載の発明と、異議申立証拠の甲第１号証もしくは甲第２号証との対比を行う。
　甲第１号証もしくは甲第２号証には、請求人の指摘する事項のいずれもが記載されているとは認めらるものの、甲第１号証もしくは甲第２号証には、本件訂正請求項１記載の発明の内、
「当該放送内容受信装置の電源を投入すると、前記入力手段により取り込まれた上記情報から、その日の各チャンネルのテレビの番組内容を取り出して、チャンネルの違い毎にテレビ受像機に縦もしくは横の内の１方向に並べて表示するチャンネル表示手段と、
　当該放送内容受信装置の電源を投入すると、前記入力手段により取り込まれた上記情報中の同一チャンネルのその日の番組を、その放送順に、上記１方向と垂直な方向に並べて、上記テレビ受像機に表示する放送順序表示手段」
の構成の記載がない。
　この訂正請求項１の構成を検討すると、
イ：番組を表形式で表示する構成として、甲第１号証が１０欄第５０−５９行で、マスターガイドして、１つのスクリーンに複数のチャンネルに渡って、開始時刻及び番組内容が表示されることが示されているものの、表形式にするための具体的構成の記載はないのに対して、本件訂正請求項１に記載の発明は、表形式にするための手段として「チャンネル表示手段」と「放送順序表示手段」という２つの手段から構成される点。
ロ：番組を表示するタイミングと表示番組内容が、甲第１号証ではチャンネルモードすると番組が表示されるのに対して、本件訂正請求項１に記載の発明は、「チャンネル表示手段」と「放送順序表示手段」の共に「放送内容受信装置の電源を投入する」と「その日」の番組を表示するものであって、構成が相違する。
　そして甲第１号証もしくは甲第２号証との相違点について、甲第２ないし１号証さらには、甲第３号証を参照しても、この点についての記載並びに示唆はなく、申立人が提示した証拠から当業者が容易に発明をすることができたものとすることはできない。
  したがって、本件訂正請求項１に記載の発明は甲第１〜３号証に記載された発明であるとはいえず、又、甲各号証から当業者が容易に発明をすることができたものとすることもできない。
　
ii：訂正請求項２ないし４に対する検討
　訂正請求項２ないし４は、いずれも訂正請求項１を引用した請求項であるから、訂正請求項１の記載の発明が甲第１〜３号証に記載された発明であるとはいえず、又、甲各号証から当業者が容易に発明をすることができたものとすることもできない以上、同様に、訂正請求項２ないし４に記載の発明も、甲第１〜３号証に記載された発明であるとはいえず、又、甲各号証から当業者が容易に発明をすることができたものとすることもできない。
　
３：特許異議申立人 大木宗一郎の異議理由の１についての検討
（１）特許異議理由の１の概要 
i：特許異議申立人 大木宗一郎が異議理由の１の中で行った本件設定登録時請求項の区分。
　大木宗一郎が異議理由の１の中で行った本件設定登録時請求項の区分は、上記特許異議申立人和田が行った区分２：（１）と同じであるのでその区分を援用する。
　
ii：甲第１号証(特開昭６２−６０３７２号公報)を基にした異議理由
　甲第１号証には、本件請求項１，２，３，に係わる各発明の構成中、Ａ、Ｂ、Ｈ、Ｉ、Ｊ、Ｋ、Ｍ、に相当する構成が記載されている。
　すなわち、同甲号証は任意テレビ番組を記憶し、その記憶番組に従って自動的に選局動作するテレビジョン受像機の選局プログラム装置に関する発明であり（同甲号証第１頁第２欄第４行目〜第６行）、番組情報等をテレビジョン受像機の画面上に表示し、任意の番組を指定することにより、その番組を登録し、自動選局するようにしたので、新聞が手元にない場合でも、テレビ番組表をテレビ画面上に表示してその番組内容を確認でき、しかも、その表示番組の中から所望の番組を指定することにより、簡単に指定番組のプログラムを設定できる（同甲号証第５頁第４欄第７行目〜１１行目)という効果を奏する。
　
iii：甲第２号証(特開昭６３−５４８８４号公報）を基にした異議理由
　甲第２号証には、本件請求項１、２，４，に係わる各発明の構成中、Ｃ、Ｄ、Ｅ、Ｆ、Ｇ、Ｌ、Ｎが記載されている。
　すなわち、同甲号証は、録画再生装置(以下VTR)等のオーディオ・ビジュアル機器に適用される番組予約装置に関するものであり、テレビジョン受像機の画面にチャンネルと時刻からなるマトリックス状の着色選択領域を映出し、希望する領域を指示すれば、その領域の色が変わると同時に、メモリにおける番組予約情報が読み出されるようにしたから、煩わしい操作手順を覚えなくとも簡単に番組予約ができる(同甲号証第４頁第１欄第９行〜１４行)という効果を奏する。
　
iv：申立人が、異議理由で主張する本件特許発明と証拠の対比
イ：請求項１
　本件請求項１に係わる特許発明と甲第１号証及び甲第２号証に記載された発明とを対比すると、以下の点により共通であると認められ、本発明の属する技術分野における通常の知識を有する者が容易に想到し得たものである。
　本件放送内容受信装置（Ａ）は、「受信された、テレビ放映内容から、指定されたチャンネルを抽出するチューナを備えた放送内容受信装置」であるのに対して、甲第1号証には、「任意テレビ番組を記憶し、その記憶番組に従って自動的に選局動作するテレビジョン受像機の選局プログラム装置に関する（同甲号証第１頁第２欄第４行目から第６行目）。」と記載されており、同一のものである。
　本件入力手段（Ｂ）は、「少なくともテレビの各番組内容とその開始時刻とその放映チャンネルとを含む情報を、外部から当該放送内容受信装置に取り込む入力手段」であるのに対して、甲第１号証には、「これらの番組情報は、第1図の入力装置２３から入力されるもので、その入力手段としては、例えばバーコードリーダによる方法がある（甲第１号証第２頁第４欄第２行目〜第５行目）。」と記載されており、同一のものを開示している。本件チャンネル表示手段（Ｃ）は　「該入力手段（Ｂ）により取り込まれた上記情報から、各チャンネルのテレビの番組内容を取り出してチャンネルの違い毎にテレビ受像機に縦もしくは横の内の１方向に並べて表示する」であり、また本件放送順序表示手段（Ｄ）は、「該入力手段（Ｂ）により取り込まれた上記情報中の同一チャンネルの番組を、その放送順に、上記1方向と垂直な方向に並べて、上記テレビ受像機に表示する放送順序表示手段」であり、この２つの構成によって、番組を２次元状に表示する機能を表しているのに対して、甲第２号証には、「上記テレビジョン受像機（２）の画面（１０１）には、上記ＲＯＭ（６）により、第３図に示すように横軸方向のチャンネル番号枠、すなわちブリセット可能なチャンネル数と同数の１〜１２までのチャンネル番号枠（１５ａ）と縦軸方向の時刻枠、例えば毎整時毎の枠（１５ｂ）とからなるマトリックス状の着色選択領域（１５）が映出されるようになっている。(甲第２号証第３頁第２欄第１行目〜７行目）」と記載しており、チャンネル番号の枠と、放送時刻の枠をマトリックス状の2次元表示を行っており、２次元表示を行う点で共通である。
　本件位置指定手段（Ｅ）は「該放送順序表示手段（Ｄ）及び上記チャンネル表示手段（Ｃ）により上記テレビ受像機に表示されたテレビの番組内容の中から任意の番組内容が表示されている位置を指定するための位置指定手段」であり、本件識別表示手段（Ｆ）は、「該位置指定手段（Ｅ）により指定された位置に表示されている番組内容を、指定されなかった位置の番組内容と識別可能に表示する識別表示手段」であり、これら2つの要件で画面上に表示された番組表の特定の番組を指示し、そして、当該指示されていない部分と識別できる機能を示しているのに対して、甲第2号証には、「たとえばチャンネル「1」あさの５時００分から５時１５分までの領域（１５０ａ）が、たとえば赤色になっており、かつ点滅している。これがカーソルの役目を果たす(甲第２号証第３頁第２欄１６行目から１９行目)。」と記載されており、またこのカーソルは、「チャンネル番号枠選択キー（１３）を操作してカーソル（１５０ａ）をチャンネル番号「４」の列まで移動させる(甲第２号証第３頁第３欄第５行目から第６行目）。」と記載されているので、指定する番組枠をカーソルで指定しその部分が指定されていることを示すように赤で点滅しているので、指定されていない他の部分と区別できる機能を示しており、本件特許発明と共通するものであると解される。
　また甲第２号証で記載されているのは、番組の枠だけであり、枠の中に番組名等の情報の記載は明示されていない。しかしながら、甲第１号証には、本件の表示内容に係わる番組情報とほぼ同一の情報(甲第1号証第２図、第２頁第２欄第２０行目から第３欄第１１行目等)を記憶し、画面上に表示する事が記載されており、番組情報等を2次元に表示し、所望の番組部分をカーソル等で指定し、かつその指定は指定されなかった他の部分と識別可能にする機能は、甲第１号証及び第２号証を組み合わせることによって、当業者が容易に想到できたものである。
　本件設定手段（Ｇ）は、「該識別表示手段（Ｆ）にて識別可能に表示された箇所に対応する番組内容を所望の番組として設定するための設定手段」であるのに対して、甲第２号証には、「メモリーキー（１４）を押すことにより、この点滅が止まり赤色となる(甲第２号証第３頁第３欄第１０行目から１１行目)。」と記載されており、点滅が止まって赤色となることで、この部分は予約の設定が確定し、かつ予約された事を示し続けているので、本件設定手段（Ｇ）と共通するものである。
　本件チャンネル補完手段（Ｈ）は、「該設定手段（Ｇ）で設定された箇所に対応する番組のチャンネルを上記情報から取り出して、所望のチャンネルとして設定するチャンネル補完手段」であるのに対して、甲第１号証には、「番組メモリ２２から読み出している番組のチャンネルコードをチャンネル電圧発生回路２６に出力する(甲第１号証第４頁第４欄第１２行目から１４行目)。」と記載されており、共通するものであると解される。
本件開始時刻補完手段（１）は、「上記設定手段（Ｇ）にて設定された箇所に対応する番組の開始時刻を上記情報から取り出して、所望の番組の情報として設定する開始時刻補完手段」であるのに対して、甲第１号証には、「番組メモリ２２の対応日付エリアに対する先頭アドレスＸ及び終了アドレスＸＥＮＤを発生する（甲第１号証第４頁第２欄第１８行目から第２０行目)。」と記載されており,番組が予約されると、あらかじめ記憶されていた情報の中から指定された番組に対応する情報の先頭アドレスを発生し、「番組メモリ２２の記憶内容を読み出す(甲第１号証第４頁第３欄第３行目から第４行目)。」の記載の通り、内容を読み出し、その情報の中にある放送開始時刻と現在時刻の比較を行う(甲第１号証　４頁第３欄第７行目)ので、本件の開始時刻補完手段（１）と共通するものと解される。
本件放送内容出力手段（Ｊ）は、「該開始時刻補完手段（１）により設定されこ開始時刻になると、上記チャンネル補完手段により設定されたチャンネルを上記チューナに抽出させる放送内容出力手段」であるのに対して、甲第１号証には、「このテレビ制御部１２は、チャンネル電圧発生回路２６からのチャンネル電圧に従ってチューナ１１を制御し、所定のチャンネルを選択する(甲第１号証第４第１７行目から第２０行目)。」と記載されており、共通するものであると解される。
　以上のように本特許発明は甲第１号証及び甲第２号証に開示された事項の組みわせによって実現できるものであり、この発明の属する技術の分野における通の知識を有する者が容易に推考しえるものである。
　また、本件特許発明の効果も、甲第１号証及び甲第２号証記載のものから予測できる効果以上のものではない。
ロ:請求項２
　本件の請求項２に記載した特許発明では、請求項１の入力手段（Ｂ）及び放送順序表示手段（Ｄ）についてさらに限定を行うものであるが、以下のように甲第１号証及び甲第２号証に記載された事項から容易に想到し得たものである。
　すなわち、請求項２記載の入力手段（Ｋ）は請求項１記載の入力手段（Ｂ）であって、かつ「少なくともテレビの各番組内容と、その開始時刻と、その終了時刻もしくはその放映時間と、その放映チャンネルとを含む情報を、外部から当該放送内容受信装置に取り込むもの」であるのに対して、甲第１号証には、「番組メモリ２２の一部エリアの構成を示したもので、番組情報として、日付、チャンネル、曜日、開始時刻、終了時刻、番組の種類、番組が放送中であることを示す放送中フラグＦＴ、番組が終了したことを示す放送終了フラグＦ２、テレビの動作を予約するテレビ予約フラグＦ３、ＶＴＲの動作を予約するＶＴＲ予約フラグＦ４、番組名が設定される(甲第１号証第２頁第３欄第１５行目から第４欄第２行目)。」と記載されており、本件に掲げられている要件はすべて開示されていまた請求項２記載の放送順序表示手段（Ｌ）は、請求項１記載の放送順序表示手段（Ｄ）であって、かつ「各番組内容の放送時間に略比例した大きさにて各番阻内容を上記放映順に並列させて上記テレビ受像機に表示するもの」であるのに対して、甲第２号証には、「たとえば毎整時毎の枠（１５ｂ）とからなるマトリックス状の着色選択領域（１５）が映出されるようになっている(甲第２号証第３頁第２第５行目から第７行目)。」と記載されており、１時間毎の大きさを決めているので、同一番組であるならば番組の時間長に応じた枠の大きさを割り当てるのは、当業者であるならば当然に想到する事項である。
　従って、請求項２記載の本件特許発明も甲第１号証及び甲第２号証に記載された発明によって本発明の属する技術分野における通常の知識を有した者が容易に推考し得るものである。
ハ:請求項３
　請求項３に記載の本件特許発明は、請求項２記載の放送内容受信装置において、放送内容出力手段（Ｊ）を限定するものであるが、以下のように甲第１号証をもとに容易に想到できたものである。
　すなわち、請求項３に記載された放送内容出力手段（Ｍ）は請求項２記載の放送内容出力手段（Ｊ）であって、「チューナに抽出させたチャンネルの放映内容を、録画するためのビデオ録画装置を備えたもの」であるのに対して、甲第１号証には、「ステップＣ１６に示すようにＶＴＲ制御部２８によりチャンネル選局を行わせる。次いでＣＰＵ１８はＶＴＲ制御部２８に録画指令を与え、ステップＣ１７に示すようにＶＴＲ２９の録画動作を開始させる(甲第１号証第５頁第１欄第１２行目から１６行目)。」と記載されており、明らかに共通するものである。従って、請求項３記載の本件特許発明も甲第１号証に記載された発明によって本発明の属する技術分野における通常の知識を有する者にとって容易に想到できたものである。
ニ：請求項4
　請求項４に記載された本件特許発明は、請求項１ないし３の放送内容受信装置であって、識別表示手段（Ｆ）をさらに限定するものであるが、以下の通り甲第２号証をもとに容易に想到できたものである。
　すなわち、請求項４に記載された識別表示手段（Ｎ）は、請求項１ないし３に記載の識別表示手段（Ｆ）であって、「位置指定手段（Ｅ）により指定された位置に表示されている番組内容を、点滅もしくは反転させることにより、指定されなかった位置の番組内容とは識別可能に表示するもの」であるのに対して、甲第２号証には、「たとえば、赤色になっており、かつ点滅している(甲第２号証第３頁第２欄第１８行目)。」と記載されており、カーソルが点滅するものを開示している。従って、請求項４記載の本件特許発明も甲第２号証に記載された発明を基に本発明の属する技術分野における通常の知識を有する者が容易に推考しえるものである。
　
（２）当審の検討
i：訂正請求項１に記載の発明と甲第１号証もしくは甲第２号証との比較
　甲第１号証および甲第２号証には特許異議申立人の指摘するとおりの記載があり、設定登録時の各請求項との対比も、異議申立人の指摘するとおりと認められるものの、訂正請求項１に記載の発明と甲第１号証もしくは甲第２号証との比較をすると、甲第１号証もしくは甲第２号証には本件訂正請求項１記載の発明の内の
「当該放送内容受信装置の電源を投入すると、前記入力手段により取り込まれた上記情報から、その日の各チャンネルのテレビの番組内容を取り出して、チャンネルの違い毎にテレビ受像機に縦もしくは横の内の１方向に並べて表示するチャンネル表示手段と、
　当該放送内容受信装置の電源を投入すると、前記入力手段により取り込まれた上記情報中の同一チャンネルのその日の番組を、その放送順に、上記１方向と垂直な方向に並べて、上記テレビ受像機に表示する放送順序表示手段」という構成の記載がない。
　この構成を検討すると、
イ：番組を表形式で表示する構成として、甲第２号証が第３頁第２欄第１〜７行に横方向のチャンネル枠と縦方向の時間枠をマトリックス状の着色選択領域が映出されるように構成はされているものの、表形式で表示するための具体構成として、本件訂正請求項１に記載の発明は、「チャンネル表示手段」と「放送順序表示手段」という２つの手段から構成される点。
ロ：番組を表示するタイミングと表示番組内容が、甲第１号証ではリモートコントロール装置の予約画面表示ボタン押すことでマトリックス状の着色選択領域が映出されるのに対して、本件訂正請求項１に記載の発明は、「チャンネル表示手段」と「放送順序表示手段」の共に「放送内容受信装置の電源を投入する」と「その日」の番組を表示するものであって、構成が相違する。
　そして甲第１号証もしくは甲第２号証との相違点について、甲第２ないし１号証さらには、甲第３号証を参照しても、この点についての記載並びに示唆はなく、申立人が提示した証拠から当業者が容易に発明をすることができたものとすることはできない。
  したがって、本件訂正請求項１に記載の発明は甲第１・２号証に記載された発明であるとはいえず、又、同甲各号証から当業者が容易に発明をすることができたものとすることもできない。
　
ii：訂正請求項２ないし４と甲第１号証もしくは甲第２号証との比較
　訂正請求項２ないし４は、いずれも訂正請求項１を引用した請求項であるから、訂正請求項１の記載の発明が甲第１号証もしくは甲第２号証に記載された発明であるとはいえず、又、同甲各号証から当業者が容易に発明をすることができたものとすることもできない以上、同様に、訂正請求項２ないし４に記載の発明も、同甲第各号証に記載された発明であるとはいえず、又、同甲各号証から当業者が容易に発明をすることができたものとすることもできない。
　
４、まとめ
　以上の通り、各特許異議申立てに理由があるとすることはできない。
　
III：むすび、
【異議決定日】
平成１２年１１月７日（２０００．１１．７）
【訂正の要旨】
（１）訂正の要旨
（訂正得事項ａ）
　設定登録時の特許請求の範囲の
「【請求項１】受信された、テレビ放映内容から、指定されたチャンネルを抽出するチューナを備えた放送内容受信装置において、
　少なくともテレビの各番組内容とその開始時刻とその放映チャンネルとを含む情報を、外部から当該放送内容受信装置に取り込む入力手段と、
　該入力手段により取り込まれた上記情報から、各チャンネルのテレビの番組内容を取り出して、チャンネルの違い毎にテレビ受像機に縦もしくは横の内の１方向に並べて表示するチャンネル表示手段と、
　該入力手段により取り込まれた上記情報中の同一チャンネルの番組を、その放送順に、上記１方向と垂直な方向に並べて、上記テレビ受像機に表示する放送順序表示手段と、
　該放送順序表示手段及び上記チャンネル表示手段により上記テレビ受像機に表示されたテレビの番組内容の中から任意の番組内容が表示されている位置を指定するための位置指定手段と、該位置指定手段により指定された位置に表示されている番組内容を、指定されなかった位置の番組内容と識別可能に表示する識別表示手段と、
　該識別表示手段にて識別可能に表示された箇所に対応する番組内容を所望の番組として設定するための設定手段と、該設定手段にて設定された箇所に対応する番組のチャンネルを上記情報から取り出して、所望の番組のチャンネルとして設定するチャンネル補完手段と、
　上記設定手段にて設定された箇所に対応する番組の開始時刻を上記情報から取り出して、所望の番組の情報として設定する開始時刻補完手段と、該開始時刻補完手段により設定された開始時刻になると、上記チャンネル補完手段により設定されたチャンネルを上記チューナに抽出させる放送内容出力手段とを備えたことを特徴とする放送内容受信装置。」
を、特許請求の範囲の請求項１の減縮を目的として、以下の通り訂正する。
「【請求項１】受信された、テレビの放映内容から、指定されたチャンネルを抽出するチューナを備えた放送内容受信装置において、
　少なくともテレビの各番組内容とその開始時刻とその放映チャンネルとを含む情報を、外部から当該放送内容受信装置に取り込む入力手段と、
　当該放送内容受信装置の電源を投入すると、前記入力手段により取り込まれた上記情報から、その日の各チャンネルのテレビの番組内容を取り出して、チャンネルの違い毎にテレビ受像機に縦もしくは横の内の１方向に並べて表示するチャンネル表示手段と、
　当該放送内容受信装置の電源を投入すると、前記入力手段により取り込まれた上記情報中の同一チャンネルのその日の番組を、その放送順に、上記１方向と垂直な方向に並べて、上記テレビ受像機に表示する放送順序表示手段と、
　該放送順序表示手段及び上記チャンネル表示手段により上記テレビ受像機に表示されたテレビの番組内容の中から任意の番組内容が表示されている位置を指定するための位置指定手段と、
　該位置指定手段により指定された位置に表示されている番組内容を、指定されなかった位置の番組内容と識別可能に表示する識別表示手段と、
　該識別表示手段にて識別可能に表示された箇所に対応する番組内容を所望の番組として設定するための設定手段と、
　該設定手段にて設定された箇所に対応する番組のチャンネルを上記情報から取り出して、所望の番組のチャンネルとして設定するチャンネル補完手段と、
　上記設定手段にて設定された箇所に対応する番組の開始時刻を上記情報から取り出して、所望の番組の情報として設定する開始時刻補完手段と、該開始時刻補完手段により設定された開始時刻になると、上記チャンネル補完手段により設定されたチャンネルを上記チューナに抽出させる放送内容出力手段と
　を備えたことを特徴とする放送内容受信装置。」
（訂正事項ｂ）
設定登録時の
「【請求項４】上記識別表示手段が、上記位置指定手段により指定された位置に表示されている番組内容を、点滅もしくは反転させることにより、指定されなかった位置の番組内容とは識別可能に表示するもの
であることを特徴とする請求項１ない３に記載の放送内容受信装置」
の記載を、不明瞭な記載の釈明を目的として、以下の通り訂正する。
「【請求項４】上記識別表示手段が、上記位置指定手段により指定された位置に表示されている番組内容を、点滅もしくは反転させることにより、指定されなかった位置の番組内容とは識別可能に表示するもの
であることを特徴とする請求項１ないし３のいずれかに記載の放送内容受信装置。」
（訂正事項ｃ）
　設定登録時の明細書（特許公報第２頁第４欄第１６〜２０行
「本発明の請求項１記載の放送内容受信装置は、受信された、テレビ放映内容から、指定されたチャンネルを抽出するチューナと、該チューナにより抽出されたチャンネルの映像信号を表示するテレビ受像機とを備えた放送内容受信装置において、」
の記載を、不明瞭な記載の釈明を目的として、
「と、該チューナにより抽出されたチャンネルの映像信号を表示するテレビ受像機と」
の記載を削除して「本発明の請求項１記載の放送内容受信装置は、受信された、テレビ放映内容から、指定されたチャンネルを抽出するチューナを備えた放送内容受信装置において、」
と訂正する。
（５４）【発明の名称】
放送内容受信装置
（５７）【特許請求の範囲】
　１　受信された、テレビの放映内容から、指定されたチャンネルを抽出するチューナを備えた放送内容受信装置において、
　少なくともテレビの各番組内容とその開始時刻とその放映チャンネルとを含む情報を、外部から当該放送内容受信装置に取り込む入力手段と、
　
当該放送内容受信装置の電源を投入すると、前記
その日の
　
当該放送内容受信装置の電源を投入すると、前記
その日の
　該放送順序表示手段及び上記チャンネル表示手段により上記テレビ受像機に表示されたテレビの番組内容の中から任意の番組内容が表示されている位置を指定するための位置指定手段と、
　該位置指定手段により指定された位置に表示されている番組内容を、指定されなかった位置の番組内容と識別可能に表示する識別表示手段と、
　該識別表示手段にて識別可能に表示された箇所に対応する番組内容を所望の番組として設定するための設定手段と、
　該設定手段にて設定された箇所に対応する番組のチャンネルを上記情報から取り出して、所望の番組のチャンネルとして設定するチャンネル補完手段と、
　上記設定手段にて設定された箇所に対応する番組の開始時刻を上記情報から取り出して、所望の番組の情報として設定する開始時刻補完手段と、
　該開始時刻補完手段により設定された開始時刻になると、上記チャンネル補完手段により設定されたチャンネルを上記チューナに抽出させる放送内容出力手段と
　を備えたことを特徴とする放送内容受信装置。
　２　上記入力手段が、少なくともテレビの各番組内容と、その開始時刻と、その終了時刻もしくはその放映時間と、その放映チャンネルとを含む情報を、外部から当該放送内容受信装置に取り込むものであり、
　上記放送順序表示手段が、各番組内容の放映時間に略比例した大きさにて各番組内容を上記放映順に並列させて上記テレビ受像機に表示するもの、
　であることを特徴とする請求項１に記載の放送内容受信装置。
　３　上記放送内容出力手段が上記チューナに抽出させたチャンネルの放映内容を、録画するためのビデオ録画装置を備えたことを特徴とする請求項２に記載の放送内容受信装置。
　４　上記識別表示手段が、上記位置指定手段により指定された位置に表示されている番組内容を、点滅もしくは反転させることにより、指定されなかった位置の番組内容とは識別可能に表示するもの
　であることを特徴とする請求項１ないし３のいずれかに記載の放送内容受信装置。
【発明の詳細な説明】
発明の目的
［産業上の利用分野］
　本発明は、テレビの放映内容を受信するための放送内容受信装置に関する。
［従来の技術］
　所望のテレビ番組を、見損ねるという失敗は、テレビが登場して久しい今日においてもよくあることである。この失敗は、放送日時を間違えたり、他のことに気を取られて忘れてしまう等が主な原因である。また、放送時間に間にあうようにテレビの電源を入れたものの、チャンネルを間違え、しかもこれに気が付かないこともある。この場合、所望の番組とは異なる番組が画面に出力されてから正しいチャンネルに直すことになるので、冒頭の部分を見損ねてしまう。
　この対策として、見たい番組をビデオ録画装置（いわゆるビデオテープレコーダ）に録画予約しておくという方法がある。しかしこうした録画装置では、録画開始時刻や収録番組のチャンネルの設定や録画終了時刻等、設定内容が多岐に亘り、設定にはかなりの手間と慣れとを要する。そこで、機械の操作に慣れない老人等でも簡易に録画予約の設定ができるよう、バーコードを使って録画開始時刻を読み込ませたり、一週間を単位として毎週同時刻に同じ番組を録画する機能を備えた録画装置も提案されている。
［発明が解決しようとする課題］
　しかしながら、こうした録画装置でも、バーコードといったいわば約束事を用いるため、操作が直観的ではなく、しかもその操作が煩雑であるという問題があった。特に、放映時間が連続する異なるチャンネルの番組を録画する場合や、同じ番組が週によって異なる時間帯に放映されるといった場合には、バーコードを使用してもその設定は極めて煩雑なものになってしまう。また、バーコードの場合、読み取りミスもあり得る。
　本発明は上記課題を解決し、見たいテレビ番組を見逃すことがなく、しかも容易に操作可能な放送内容受信装置を提供することを目的とする。
発明の構成
　かかる目的を達成する本発明の構成について以下説明する。
［課題を解決するための手段］
　本発明の請求項１記載の放送内容受信装置は、受信された、テレビの放映内容から、指定されたチャンネルを抽出するチューナを備えた放送内容受信装置において、
　少なくともテレビの各番組内容とその開始時刻とその放映チャンネルとを含む情報を、外部から当該放送内容受信装置に取り込む入力手段と、
　当該放送内容受信装置の電源を投入すると、前記入力手段により取り込まれた上記情報から、その日の各チャンネルのテレビの番組内容を取り出して、チャンネルの違い毎にテレビ受像機に縦もしくは横の内の１方向に並べて表示するチャンネル表示手段と、
　当該放送内容受信装置の電源を投入すると、前記入力手段により取り込まれた上記情報中の同一チャンネルのその日の番組を、その放送順に、上記１方向と垂直な方向に並べて、上記テレビ受像機に表示する放送順序表示手段と、
　該放送順序表示手段及び上記チャンネル表示手段により上記テレビ受像機に表示されたテレビの番組内容の中から任意の番組内容が表示されている位置を指定するための位置指定手段と、
　該位置指定手段により指定された位置に表示されている番組内容を、指定されなかった位置の番組内容と識別可能に表示する識別表示手段と、
　該識別表示手段にて識別可能に表示された箇所に対応する番組内容を所望の番組として設定するための設定手段と、
　該設定手段にて設定された箇所に対応する番組のチャンネルを上記情報から取り出して、所望の番組のチャンネルとして設定するチャンネル補完手段と、
　上記設定手段にて設定された箇所に対応する番組の開始時刻を上記情報から取り出して、所望の番組の情報として設定する開始時刻補完手段と、
　該開始時刻補完手段により設定された開始時刻になると、上記チャンネル補完手段により設定されたチャンネルを上記チューナに抽出させる放送内容出力手段とを備えたことを特徴とする。
　請求項２記載の本発明は、請求項１に記載の放送内容受信装置において、上記入力手段が、少なくともテレビの各番組内容と、その開始時刻と、その終了時刻もしくはその放映時間と、その放映チャンネルとを含む情報を、外部から当該放送内容受信装置に取り込むものであり、
　上記放送順序表示手段が、各番組内容の放映時間に略比例した大きさにて各番組内容を上記放映順に並列させて上記テレビ受像機に表示するもの、
　であることを特徴とする。
　請求項３記載の本発明は請求項２記載の放送内容受信装置において、上記放送内容出力手段が上記チューナに抽出させたチャンネルの放映内容を、録画するためのビデオ録画装置を備えたことを特徴とする。
　請求項４記載の本発明は、請求項１ないし３のいずれかに記載の放送内容受信装置において、上記識別表示手段が、上記位置指定手段により指定された位置に表示されている番組内容を、点滅もしくは反転させることにより、指定されなかった位置の番組内容とは識別可能に表示するものであることを特徴とする。
［作用］
　上記構成を有する本発明の請求項１記載の放送内容受信装置は、以下のようにして所望の放映内容を受信する。
　まず外部より入力手段を介して、少なくともテレビの番組内容、その開始時刻と、放映チャンネルとを含む情報を、当該放送内容受信装置に取り込む。ここで、テレビの番組内容（以下、単に番組内容ともいう）としては、番組名や、その略称や、その内容を代表する語句（例えば「ニュース」「ゴルフ」等）が考えられる。こうして取り込まれた情報から、チャンネル表示手段が、番組内容を取りだし、これをチャンネルの違い毎に、テレビ受像機に縦もしくは横の内の１方向に並べて表示し、放送順序表示手段が、その同一チャンネルの番組を放送順に、１方向と垂直な方向に並列させてしてテレビ受像機に表示する。これによりテレビ受像機には新聞の番組欄などと略同じ表形式にて番組内容が表示されることになる。
　この状態で、位置指定手段、識別表示手段、および設定手段により所望の放送内容を選択する。位置指定手段は、表形式で表示された番組内容の中から任意の番組内容を指定するためのもので、例えばタッチボードやマウスやライトペンにて実現可能なものである。識別表示手段は、位置指定手段により指定された位置に表示されている番組内容の画面表示を、指定されなかった位置の番組内容と識別可能に表示する。そして設定手段は、操作されると識別表示手段にて識別可能に表示された箇所を所望の放送番組として設定する。
　設定手段により画面の任意の位置が指定されると、チャンネル補完手段がその位置の番組に対応するチャンネルを、入力手段が取り込んだ情報から取り出して、所望の番組のチャンネルとして設定する。これと略同様に開始時刻補完手段が、その位置の番組に対応する開始時刻を、入力手段が取り込んだ情報から取り出して、所望の番組の開始時刻として設定する。そして放送内容出力手段が、設定された番組内容に対応する上記情報に基づき、その開始時刻になると、該番組内容に対応する放映チャンネルを上記チューナに抽出させる。
　つまりチャンネルの選択を、従来行なわれていたように各チャンネルに対応する数字等によって行なうのではなく、番組内容に基づいて行なう。しかもテレビ受像機にされる表示は上記のような表形式にされることにより、各番組内容の開始時刻についても、時刻を表す数字という抽象的な情報は省略し、視覚的に表している。これにより、チャンネルや開始時刻といった、抽象的で誤り易い情報を操作者に認識させることなく、異なるチャンネルの番組内容や同じチャンネルの前後に放映される番組内容と対比させることにより操作者に認識させることができる。従って、異なるチャンネルや隣接する時刻の類似番組と誤っていないか、といった注意事項が直観的に喚起されることとなる。
　そして番組内容の予約は、所望の番組内容が表示されている位置を位置指定手段にて指定し、設定手段を操作すれば完了し、この間、チャンネルの指定や、開始時刻の指定といった抽象的な情報を取り扱う必要がない。省略された開始時刻は、放送内容出力手段がチューナにチャンネルを抽出させる場合に必要となるが、これについては、開始時刻補完手段が、入力手段によって外部から取り込まれた情報により補完される。また、チャンネルについても、位置指定手段によって指定する訳ではないが、チャンネル補完手段によって情報により補完される。
　つまり、当該放送内容受信装置の操作者は、新聞などの番組欄を見て所望の番組を選ぶのと同じ感覚で予約を行なうことができる。すなわち、テレビ受像機に表形式で表示された番組内容を見て、所望の番組内容を位置指定手段で指定し、設定手段で設定すればよい。しかも位置指定手段にて指定した位置は、識別表示手段により他の位置と識別可能に表示される。このため、非常に視覚的で判り易いだけでなく、誤って隣の番組内容を予約してしまう心配がない。このため、予約ミスが非常に起こり難い。
　更に、請求項２記載の放送内容受信装置のように、入力手段が各番組の終了時刻（もしくは放映時間：その番組が開始してから終了するまでの時間）をも取り込むものとし、放送順序表示手段が、各番組をその放映時間に略比例した大きさにて各番組内容を放映順に並列させて表示するものとすると、一層優れたものとすることができる。
　これに反し、放映時間に関係なく、全番組を同じ大きさにし、詰めて表示すると、複数チャンネル分表示しても多チャンネルで放映される所望の番組と裏番組の関係にあるか否かがわからなくなる。この点、請求項２記載の本発明のようにすることにより、各番組が表示されている大きさによって、放映時間をも直観的に把握させることができ、裏番組の関係にあるか否かが非常にわかり易くなる。
　請求項３記載の放送内容受信装置では、放送内容出力手段がチューナに抽出させたチャンネルの放映内容を、録画するためのビデオ録画装置を備えている。従って、番組名を上記表形式で表示させ、所望の番組を位置指定手段で指定し、設定手段を用いて選択すれば、その番組がビデオ録画装置に記録される。
　請求項４記載の放送内容受信装置では、識別表示手段が、位置指定手段により指定された位置に表示されている番組内容を、識別可能にするために、その位置を点滅もしくは反転させる。
　こうすると、非常に多くの番組を画面に表示させた場合にも、位置指定手段により指定された箇所が一目瞭然で分かる。従って、１画面に表示させたいチャンネル数が多い場合に特に有効である。
［実施例］
　以上説明した本発明の構成・作用を一層明らかにするために、以下本発明の放送内容受信装置の一実施例として、録画予約制御装置に適用した例について説明する。まず、第１図は録画予約制御装置の基本的構成を、更に簡略化して例示したブロック図である。本図に示すように録画予約制御装置は、記憶手段と、表示制御手段と、選択手段と、録画設定手段と、録画予約手段とを主に構成されている。記憶手段は、テレビ放送に関する情報が格納されているもので、その情報の内容は、テレビ放送の内容とその各内容の放送開始・終了時刻が、１週間から４週間分程度に亘り格納されたものとなっている。表示制御手段は、記憶手段に記憶された情報をテレビ受像機に表形式で表示させるためのものであり、選択手段は、本発明の位置指定手段、識別表示手段、および設定手段を統合したもので、この表示された情報から所望の放送内容を選択するためのものである。こうして選択された情報に従い録画設定手段が、録画予約手段にその放映時間をビデオ録画装置に設定する。第２図は、実際の録画予約制御装置を示すもので、録画予約カード１の外観をビデオテープレコーダ（ＶＴＲ）３とこれにケーブル４を介して接続されたテレビ受像機５と共に示す斜視図である。ＶＴＲ３は、図示するように、ビデオカセットテープを挿入するカセット挿入部７，現在時を表示する時刻表示部８，カード形状の録画予約カード１を上方からスライド挿入する接続部１０等を備える。
　録画予約カード１は、１週間ないし数週間のテレビ放送の番組の内容・時間等を予め記憶させたものであり、単体であるいは番組の内容を解説した週刊誌・月刊誌等と共に販売される。番組の内容等は、本実施例では、後述するように、ＲＯＭに記憶しているが、書換え可能なＰＲＯＭないしバッテリによりバックアップされたＲＡＭに記憶するものとして、自動販売機等で書き換えるものとしてもよい。この録画予約カード１は、ＶＴＲ３の接続部１０に装着して用いられる。
　録画予約カード１は、その表面には、「設定」「毎週」「連続」等の文字が刻印された制御キー１１，１２，１３と、上下左右の矢印が刻印されたカーソルキー２１，２２，２３，２４とが設けられている。尚、その最下端には、ＶＴＲ３内の接続部１０に接続されるコネクタ３０が設けられている。
　次に第３図に従って、録画予約カード１とＶＴＲ３の内部構成について説明する。図示するように、録画予約カード１の内部には、周知のＣＰＵ３１，ＲＯＭ３２，ＲＡＭ３３を中心に、これらとバス３４により相互に接続されたキー入力ポート３５，入出力ポート３８等が設けられている。
　ＲＯＭ３２には、制御プログラムと共に、１週間から４週間分程度の放映番組の簡単な内容と放映開始・終了時刻が記憶されている。また、キー入力ポート３５には、カード表面に設けられた各キー１１ないし１３，２１ないし２４が接続されており、各キーの操作状態を入力する。入出力ポート３８は、ＶＴＲ３内部の制御装置とデータ等をやり取りするためのポートであり、録画予約カード１がＶＴＲ３に装着されたとき、コネクタ３を介してその内部のバス４５に接続される。
　一方、ＶＴＲ３の内部には、バス４５により相互に接続された周知のＣＰＵ５１，ＲＯＭ５２，ＲＡＭ５３，タイマ５５のほか、アンテナ５７を介してテレビ放送電波を受け映像・音声信号を復調するチューナ６０，復調した信号をビデオテープに録画しあるいは再生する録画再生部６５，映像信号をテレビ５に出力する映像信号出力部７０等を備える。タイマ５５は、年月日を管理するカレンダ機能および２４時間の時計機能を備え、予め内部バス４５を介してＣＰＵ５１により設定された時刻なるとこれをＣＰＵ５１に割込として報知すると共に、時刻表示部８に現在時を表示する。また、チューナ６０は、ＣＰＵ５１の指令を受けて復調するチャンネルを選択することができる。選択されたチャンネルの復調された映像信号は、録画再生部６５に出力されるが、この録画再生部６５には、ＣＰＵ５１の制御信号も出力されており、録画再生部６５はこの信号を受けて、映像信号の録画・再生に応じて、図示しない録画再生用ヘッドの駆動、テープリール駆動用モータの制御等を行なう。更に、映像信号出力部７０は、チューナ６０により復調されたあるチャンネルの映像信号、録画再生部６５により再生された映像信号、ＣＰＵ５１がＲＡＭ５３に記憶した画像データを読み出して生成する映像信号のうちの何れかひとつの映像信号を選択し、これを一旦図示しない内部のビデオメモリに蓄えた後、テレビ受像機５に常時出力する。
　次に、第４図に示す番組表の説明図、第５図，第６図に示すフローチャートに従って、録画予約カード１およびＶＴＲ３の各ＣＰＵ３１，５１が実行する処理について説明する。録画予約カード１は、ＶＴＲ３に装着されて電源が投入されると、第５図に示すカード側処理ルーチンを開始し、まず、カーソル位置の初期化等の処理を行なう（ステップ１００）。カーソルの初期位置は、予め定めた原点であり、第４図に示す番組表では、最も小さな番号のチャンネルでかつ最も早い時間帯の番組（本実施例では番組Ａ１）に対応した位置である。その後、ＲＯＭ３２から番組表を読み出し（ステップ１１０）、このうちカーソル位置に応じた領域の番組データおよびカーソル位置のデータを入出力ポート３８を介してＶＴＲ３に出力する処理を行なう（ステップ１２０）。即ち、テレビ受像機５には、番組表の全てを一度に表示することができないので、カーソルの位置を中心に一画面分の番組データを出力するのである。出力された番組データは、コネクタ３０を介して一旦ＲＡＭ５３に記憶され、後でＣＰＵ５１の制御により映像信号出力部７０に送られ、ここで映像信号に変換された後、テレビ受像機５に出力される。つまり、接続部１０、及び接続部１０から番組データを取り込む処理を行なうＣＰＵ５１は、これらの外部にあるＲＯＭ３２からコネクタ３０等を介して放送内容に関する情報を取り込むので、本発明の入力手段に相当する。そして、ステップ１２０の処理が本発明のチャンネル表示手段と放送順序表示手段を兼ねた処理となっている。続いて、録画予約カード１の表面に設けられたキーが操作されるのを待ち（ステップ１３０）、その入力キーに応じてステップ１４０以下の処理に移行する。
　入力されたキーがカーソルキーの場合には、操作されたキー２１ないし２４のいずれかに応じたカーソルデータを出力し（ステップ１４０）、ＲＡＭ３３に記憶されるカーソル位置情報を番組表の構成に応じて更新する処理を行なう（ステップ１５０）。例えば、カーソルが第４図に示す番組Ｃ３の位置にある場合に、上向き矢印のカーソルキー２１が操作されたときには、そのデータをＶＴＲ３の映像信号出力部７０に出力すると共に、録画予約カード１内のカーソル位置情報を番組Ｃ３から番組Ｃ２の位置に更新するのである。また、右向き矢印のカーソルキー２４が操作された場合には、カーソル位置情報は、番組Ｃ３から番組Ｄ３の位置に更新される。以上の処理の後、ステップ１２０に戻り再びステップ１２０以下の処理を実行する。従って、カーソルが現在表示している領域の外に移動された場合には、ステップ１２０の処理により、表示される番組の領域も更新される。
　ステップ１３０の判断において入力キーが「設定」キー１１であると判別された場合には、現在のカーソル位置情報に応じた番組の開始時刻とそのチャンネル番号とをＲＯＭ３２から読み出す（ステップ１６０）。ここで番組の開始時刻を読み出す処理が本発明の開始時刻補完手段に相当し、チャンネルを読み出す処理が本発明のチャンネル補完手段に相当する。続けて録画開始時刻をＶＴＲ３のＣＰＵ５１に出力する処理を行なう（ステップ１７０）。例えば、カーソルが番組Ｃ３にある場合には、この番組の開始時刻８時４５分とチャンネルＣＨ５とが読み出され出力される。つまり設定キー１１は本発明の設定手段に相当する。続いて、その番組の終了時刻を読み出して（ステップ１８０）、その時刻を出力する処理を行なう（ステップ１９０）。上述した例では、終了時刻９時３０分が読み出され出力されることになる。
　一方、「毎週」キー１２が入力された場合には、ＲＯＭ３内に記憶された翌週以降の番組をサーチし（ステップ２００）、現在カーソルが存在する番組と同一の番組が翌週以降に存在するか否かの判断を行なう（ステップ２１０）。翌週以降に同一番組が存在すれば、既述した「設定」キーの操作時と同様に、その番組の日付を含む開始時刻・チャンネルの読出と出力、更に終了時刻の読出と出力とを行なう（ステップ１６０ないし１９０）。同一番組がなければ、そのままステップ１２０に戻って、キー入力から処理を繰り返す。この処理により、翌週以降に同一番組が異なる時間帯に放映される場合でも、容易にこれを予約することができる。尚、ＶＴＲ３側の処理については後述する。
　ステップ１３０において入力キーが「連続」キー１３であった場合には、それまでに設定した複数の番組のうち連続する番組についてその終了時刻を取り消す処理を行なう（ステップ２２０）。この結果、連続する複数の番組（チャンネルが異なる場合も同一の場合も含む）の録画が設定された場合、ひとつの番組の放映時間が終了する度にＶＴＲ３の電源を落とすことがない。
　以上、録画予約カード１側の処理について説明したが、この処理に応じて、ＶＴＲ３側では次の処理が行なわれる。第６図に示すように、まず、録画予約カード１からデータの出力があるまで待ち（ステップ３００）、データ出力があった場合には、その内容を判別する（ステップ３１０）。出力の内容がカーソルデータ（第５図ステップ１４０に対応）の場合には、ＣＰＵ５１は、映像信号出力部７０にデータを出力し、表示している番組の反転位置を更新する（ステップ３５０）。例えば、第４図に斜線を施した番組Ｃ３が反転表示されている場合、録画予約カード１から下向き矢印のカーソルキー２２が操作されたとの情報が送られたときには、番組Ｃ４を反転表示し番組Ｃ３を正常表示した映像信号の出力に切り換えるのである。つまりカーソルキー２１ないし２４が本発明の位置指定手段に相当し、指定された番組を反転表示させる処理が本発明の識別表示手段に相当する。
　一方、録画予約カード１からの出力の内容が番組表のデータである場合には、第５図ステップ１２０で出力されるデータに対応して、これを一旦ＲＡＭ５３に蓄えた後、テレビ受像機５に表示するデータとして映像信号出力部７０にセットする処理（ステップ３２０）と、録画予約カード１が出力するカーソル位置データを入力する処理とを行なう（ステップ３３０）。続いて、入力したカーソル位置のデータに基づいて反転表示する番組の位置を映像信号出力部７０に設定する処理を行なう（ステップ３４０）。
　また、録画予約カード１からの出力の内容がカード側の処理、ステップ１７０，１９０に対応した設定時刻情報の場合には、この情報を一旦ＲＡＭ５３に記憶し（ステップ３６０）、記憶した複数の時刻情報のうちもっとも現在時に近い日付・時刻をタイマ５５にセットする処理を行なう（ステップ３７０）。タイマ５５は、セットされた日付・時刻になるとＣＰＵ５１に割込をかけ、チューナ６０，録画再生部６５を駆動して記憶されたチャンネルの番組をビデオカセットテープに録画する処理を行なわせる。
　これらステップ３１０ないし３７０の処理の終了後、ステップ３００に戻って、録画予約カード１からのデータ出力まで待機する処理から繰り返す。
　以上説明した録画予約カード１側の処理およびＶＴＲ３側の処理により、使用者は、次のようにして録画予約の設定を行なう。
　（１）　まず、ＶＴＲ３に録画予約カード１を装着し電源を投入すると、テレビ受像機５にその日の番組表の一部が、第４図に示すように、表形式で表示される。カーソルキー２１ないし２４を操作することにより、所望の番組を反転表示させることができ、現在表示されている領域の外に反転表示部を移動するようなカーソル操作がされた場合には、表示領域が更新される。尚、その日の番組表以外の番組表を表示させる処理は、特に説明しなかったが、専用のキーを設けてもよいし、カーソルキー２１，２２と他のキーとの組合せにより、前日もしくは翌日の番組表を表示するよう構成することも好適である。
　（２）　所望の番組を反転表示させた状態で録画予約カード１の「設定」キー１１を操作すると、その番組の日付を含む開始時刻とチャンネルおよび終了時刻が記憶され、ＶＴＲ３はその開始時刻がくると、記憶されたチャンネルを、チューナ６０にて受信・復調して出力し、録画再生部６５は録画を開始し、終了時刻がくると録画を終了する。つまりこの部分の処理は、本発明の放送内容出力手段に相当する処理に、録画再生部６５を制御する処理を加えた処理となっている。
　（３）　ある番組の録画予約を行なった後、「毎週」キー１２を操作すると、予めＲＯＭ３２内に記憶された翌週以降の番組の内容をサーチし、現在反転表示されている番組と同一のものが存在すれば、その日付を含む開始時刻・チャンネルおよび終了時刻を設定する。従って、同一の番組が異なる時間帯に放映されていても誤りなく録画予約を行なうことができる。
　（４）　複数の番組の録画予約を設定した後、「連続」キー１３を操作すると、録画予約した番組のうち、連続した時間帯になっている番組の終了時刻の設定を取り消す。従って、連続した時間帯で複数の番組を録画する場合、設定された各番組の終了毎にＶＴＲ３の電源を落とすことがなく、ＶＴＲ３の耐久性上好ましい。
　以上説明したように、本実施例の録画予約カード１は、予め１週間ないし数週間分の番組の内容とその開始終了時刻を記憶しており、これをテレビ受像機５に表示して、番組の録画予約に供するので、録画予約を極めて簡単に行なうことができる。番組を選択するだけでよいので、時間の設定やバーコードの読取等の手間を要せず、機械の操作になれていない者にもその操作は容易である。更に、本実施例では、同一内容の番組をサーチすることができるので、連続番組が異なる時間帯に放映される場合でも、その録画予約を簡略に行なうことができる。
　以上本発明の実施例について説明したが、本発明はこうした実施例に何等限定されるものではなく、例えばカーソルキーに代えてテレビ受像機の画面上に設置されたタッチボードや、マウスあるいはライトペンで所望の番組を選択する構成、設定操作のキーをＶＴＲ上に直接設けた構成等、本発明の要旨を逸脱しない範囲において、種々なる態様で実施し得ることは勿論である。
発明の効果
　以上詳述したように、本発明の請求項１記載の放送内容受信装置によれば、番組内容がテレビ受像機に表形式にて視覚的に表示される。これにより、チャンネルや開始時刻といった、抽象的で誤り易い情報を操作者に認識させることなく、異なるチャンネルの番組内容や同じチャンネルの前後に放映される番組内容と対比させることにより操作者に認識させることができる。従って、異なるチャンネルや隣接する時刻の類似番組と誤っていないか、といった注意事項が直観的に喚起されることとなる。
　そして番組の内容の予約は、表形式で表示された番組内容の中から所望の番組内容が表示されている位置を位置指定手段にて指定し、設定手段を操作すれば完了する。この間、チャンネルや開始時刻といった抽象的な情報を取り扱う必要がない。開始時刻は、開始時刻補完手段によって補われ、チャンネルはチャンネル補完手段によって補われる。
　つまり、当該放送内容受信装置の操作者は、新聞などの番組欄を見て所望の番組を選ぶのと同じ感覚で予約を行なうことができる。すなわち、テレビ受像機に表形式で表示された番組内容を見て、所望の番組内容を位置指定手段で指定し、設定手段で設定すればよい。しかも位置指定手段にて指定した位置は、識別表示手段により他の位置と識別可能に表示される。このため、非常に視覚的で判り易いだけでなく、誤って隣の番組内容を予約してしまう心配がない。このため、予約ミスが非常に起こり難い。
　従って、請求項１記載の放送内容受信装置によれば、抽出されたチャンネルの映像信号が所望の画像出力装置（例えばテレビ受像機）に表示されるように予め結線等をしておき、放映時間の前に上記操作を行なえば、所望の放映内容をその冒頭から見ることができる。従来提案されていた、放送内容と、そのバーコードとを並べて表示し、バーコードを装置に入力させる方式では、バーコードを一段読み違えて、所望の放送内容の隣に表示されている放送内容を選択してしまう虞があったが、請求項１記載の放送内容受信装置によれば、放送内容が表示されている画面位置そのものがその他の位置と異なる表示状態にされるため、こうしたことがない。
　請求項２記載の放送内容受信装置では、入力手段が各番組の終了時刻（もしくは放映時間）をも取り込むものとし、放送順序表示手段が、各番組をその放映時間に略比例した大きさにて各番組内容を放映順に並列させて表示するものとされているため、各番組が表示されている大きさによって、放映時間をも直観的に把握させることができ、裏番組の関係にあるか否かが非常にわかり易くなる。
　請求項３記載の放送内容受信装置においては、放送内容出力手段がチューナに抽出させたチャンネルの放映内容を、録画するためのビデオ録画装置を備えているので、テレビ受像機に表形式で表示された番組名から、所望の番組を位置指定手段および設定手段を用いて選択する、という簡易な操作で録画予約をすることができる。こうして録画された内容を再生させれば、所望の放映内容を見ることができるという優れた効果を奏する。
　請求項４記載の放送内容受信装置においては、識別表示手段が、位置指定手段により指定された位置に表示されている番組内容を、識別可能にするために、その位置を点滅もしくは反転させるので、非常に多くの番組を画面に表示させた場合にも、位置指定手段により指定された箇所が一目瞭然で分かる。従って、１画面に表示させたいチャンネル数が多い場合に特に有効である。
【図面の簡単な説明】
　第１図は本発明の一実施例である録画予約制御装置の基本的構成を例示するブロック図、第２図は録画予約カード１の外観をビデオテープレコーダ３と共に示す斜視図、第３図は同じく録画予約カード１とビデオテープレコーダ３の内部構成を示すブロック図、第４図は実施例における番組の表示の一例を示す説明図、第５図は録画予約カード１側の処理を示すフローチャート、第６図はビデオテープレコーダ３側の処理を示すフローチャート、である。
　　１…録画予約カード
　　３…ビデオテープレコーダ（ＶＴＲ）
　　５…テレビ受像機
　１１，１２，１３…制御キー
　２１，２２，２３，２４…カーソルキー
　５５…タイマ　　　６０…チューナ
　６５…録画再生部　７０…映像信号出力部